(57)【要約】  列車ドアの監視において、複数の監視カメラのいずれかが故障した際に、ダウンタイムの殆ど無い監視を実現する技術を提供する。車両外に取り付けられた第１〜第４監視カメラ１１〜１４はそれぞれ第１〜第４車両ドア７１〜７４を監視している。第１監視カメラ１１と第２監視カメラ１２、第３監視カメラ１３と第４監視カメラ１４はそれぞれ対に設定されている。第１監視カメラ１１が故障した場合には、第２監視カメラ１２が、第１車両ドア７１と第２車両ドア７２の両方のエリアを含めて撮影し、それぞれのエリアをトリミングして抽出する。
2018180310.tif 000002
【特許請求の範囲】
【請求項１】
列車の複数の車両ドアを複数の監視カメラで監視する監視システムであって、
前記複数の監視カメラの映像を取得するとともに、前記監視カメラの状態を監視する制御部を備え、
前記制御部は、
前記複数の監視カメラのいずれかで、監視対象領域を適正に撮像できない非正常状態の監視カメラがあると判断した場合、前記非正常状態の監視カメラに対に設定されている別の監視カメラの映像から、前記非正常状態の監視カメラの監視対象領域と前記別の監視カメラの監視対象領域の両方の領域の映像を抽出することを特徴とする監視システム。
【請求項２】
前記制御部は、非正常状態の監視カメラがあると判断した場合、前記別の監視カメラに対して、正常状態に設定されている画角を、前記非正常状態の監視カメラの監視対象領域と前記別の監視カメラの監視対象領域の両方の領域が含まれるよう変更することを特徴とする請求項１に記載の監視システム。
【請求項３】
前記複数の監視カメラは、前記対に設定されている別の監視カメラの監視対象領域を含んで撮影範囲が設定されており、
前記制御部は、正常状態である場合には、それぞれの監視カメラの撮影した映像から監視対象領域を抽出し、非正常状態の監視カメラがある場合は、前記非正常状態の監視カメラに対に設定されている別の監視カメラの映像から、前記非正常状態の監視カメラの監視対象領域と前記別の監視カメラの監視対象領域の両方の領域の映像を抽出することを特徴とする請求項１に記載の監視システム。
【請求項４】
列車の複数の車両ドアを複数の監視カメラで監視する監視方法であって、
前記複数の監視カメラの状態を監視する状態監視工程と、
前記複数の監視カメラの状態が正常状態の場合に、それぞれの監視カメラから、それぞれの監視カメラに設定されている監視対象領域の映像を取得する映像取得工程と、
前記複数の監視カメラのいずれかにおいて非正常状態にあると判断した場合に、前記非正常状態の監視カメラの映像取得の替わりに、対に設定されている別の監視カメラの映像から前記非正常状態の監視カメラの監視対象領域の映像を、前記別の監視カメラの監視対象領域の映像とともに取得する非正常時映像取得工程と、
を備えることを特徴とする監視方法。
【発明の詳細な説明】
【技術分野】
【０００１】
本発明は、監視システム及び監視方法に係り、例えば、鉄道の車両のドアの監視システム及び監視方法に関する。
【背景技術】
【０００２】
近年、鉄道監視システムでは車両内外やホームの監視に加えて、ホームに停車し車両ドアを開閉する際に、車両ドアに異常がないかどうか（人や異物の挟み込み等）確認を行う、車両ドアの監視が求められる。列車のドアの監視装置について各種の技術が提案されている（例えば、特許文献１参照）。【０００３】
図１９に、従来の車両ドア監視システム２００の例を示す。ここでは１両の車両２４０について示している。図２０は、第１〜第４監視カメラ２１１〜２１４が取得した映像を割り当てるモニタ画面２５０の例を示す。【０００４】
第１〜第４車両ドア２２１〜２２４のそれぞれに対応した第１〜第４監視カメラ２１１〜２１４がドア付近に取り付けられ監視が行われる。車内の車掌室や駅のホーム、鉄道社の管理室等で運用者が監視するモニタに対し、第１〜第４監視カメラ２１１〜２１４の映像を割り当て表示することで、第１〜第４車両ドア２２１〜２２４の異常有無を監視する。ここでは、２×２の４つの領域に分けられた分割領域Ａ２１０〜分割領域Ｄ２４０に、第１〜第４監視カメラ２１１〜２１４の映像がそれぞれ割り当てられて表示される。
【先行技術文献】
【特許文献】
【０００５】
【特許文献１】特許第０５３４０１２３号公報
【発明の開示】
【発明が解決しようとする課題】
【０００６】
ところで、図１９及び図２０で示した監視システム２００では、例えば、第１監視カメラ２１１が故障した場合、故障している第１監視カメラ２１１の取替作業などメンテナンスが必要となり、故障からメンテナンスまでの間、第１監視カメラ２１１の映像を映すモニタの画面（図２０では、分割領域Ａ２１０）には映像が表示されない。そのため車両ドアＡ２２１をリアルタイムで監視することが出来ず、運用に支障が出る。【０００７】
特に車両に取り付けられたカメラである場合、日中の運行中の復旧作業は難しく、監視できない時間がより長くなることが考えられる。また、車両ドアを監視カメラで監視する理由の一つとして乗務員の負担軽減が挙げられる。例えば、ワンマン運転を行う場合は、乗務員が１人であるため、車両の外に出た上での車両ドアの目視確認は、乗務員にとって大きな負担となる。そのため車両外に監視カメラを取り付け、その映像を車掌室内で目視確認を行う運用形態が採用される。この時に車両ドアを監視するカメラが故障すると、乗務員は都度車両の外に出て車両ドアを目視確認する必要があるため、負担となる作業が増えることとなる。すなわち、リアルタイム性を求められる監視において、監視カメラが故障した際も監視出来ない時間を極力削減し、ダウンタイムの殆ど無い監視を実現する技術が求められていた。また、別の観点では、監視カメラの故障によって発生する乗務員の目視確認の負担を削減し、多様な運用形態に比較的容易に対応でき確実な監視を実現する技術が求められていた。【０００８】
本発明は、このような状況に鑑みなされたもので、上記課題を解決することを目的とする。
【課題を解決するための手段】
【０００９】
本発明は、列車の複数の車両ドアを複数の監視カメラで監視する監視システムであって、前記複数の監視カメラの映像を取得するとともに、前記監視カメラの状態を監視する制御部を備え、前記制御部は、前記複数の監視カメラのいずれかで、監視対象領域を適正に撮像できない非正常状態の監視カメラがあると判断した場合、前記非正常状態の監視カメラに対に設定されている別の監視カメラの映像から、前記非正常状態の監視カメラの監視対象領域と前記別の監視カメラの監視対象領域の両方の領域の映像を抽出する。
また、前記制御部は、非正常状態の監視カメラがあると判断した場合、前記別の監視カメラに対して、正常状態に設定されている画角を、前記非正常状態の監視カメラの監視対象領域と前記別の監視カメラの監視対象領域の両方の領域が含まれるよう変更してもよい。
また、前記複数の監視カメラは、前記対に設定されている別の監視カメラの監視対象領域を含んで撮影範囲が設定されており、前記制御部は、正常状態である場合には、それぞれの監視カメラの撮影した映像から監視対象領域を抽出し、非正常状態の監視カメラがある場合は、前記非正常状態の監視カメラに対に設定されている別の監視カメラの映像から、前記非正常状態の監視カメラの監視対象領域と前記別の監視カメラの監視対象領域の両方の領域の映像を抽出してもよい。
本発明は、列車の複数の車両ドアを複数の監視カメラで監視する監視方法であって、前記複数の監視カメラの状態を監視する状態監視工程と、前記複数の監視カメラの状態が正常状態の場合に、それぞれの監視カメラから、それぞれの監視カメラに設定されている監視対象領域の映像を取得する映像取得工程と、前記複数の監視カメラのいずれかにおいて非正常状態にあると判断した場合に、前記非正常状態の監視カメラの映像取得の替わりに、対に設定されている別の監視カメラの映像から前記非正常状態の監視カメラの監視対象領域の映像を、前記別の監視カメラの監視対象領域の映像とともに取得する非正常時映像取得工程と、を備える。
【発明の効果】
【００１０】
本発明によると、リアルタイム性を求められる監視において、監視カメラが故障した際も監視出来ない時間を極力削減し、ダウンタイムの殆ど無い監視を実現する技術を提供できる。また、別の観点では、監視カメラの故障によって発生する乗務員の目視確認の負担を削減し、多様な運用形態に比較的容易に対応でき確実な監視を実現する技術を提供できる。
【図面の簡単な説明】
【００１１】
【図１】第１の実施形態に係る、列車内から乗降口付近を監視する監視カメラシステムの配置例の概要を模式的に示す図である。
【図２】第１の実施形態に係る、監視カメラシステムを構成する各機器の接続を中心として説明するための図である。
【図３】第１の実施形態に係る、駅のホームに停車中の電車の車両を表した図である。
【図４】第１の実施形態に係る、第１〜第４監視カメラの映像のモニタへの表示例を示した図である。
【図５】第１の実施形態に係る、第１〜第４監視カメラの映像のモニタへの表示を監視方向を統一させた例を示した図である。
【図６】第１の実施形態に係る、第１監視カメラが故障したときの運用形態の概要を示した図である。
【図７】第１の実施形態に係る、第１監視カメラが故障時の第２監視カメラによる画像取得例を示した図である。
【図８】第１の実施形態に係る、図７に対応したモニタへの表示例を示した図である。
【図９】第１の実施形態に係る、第１監視カメラが故障時の第２監視カメラによる画像取得の処理のフローチャートである。
【図１０】第１の実施形態に係る、第１監視カメラが故障時の第２監視カメラによる画像取得の処理のシーケンス図である。
【図１１】第２の実施形態に係る、駅のホームに停車中の電車の車両を表した図である。
【図１２】第２の実施形態に係る、第１監視カメラが故障時の第２監視カメラによる画像取得の処理のフローチャートである。
【図１３】第２の実施形態に係る、第１監視カメラが故障時の第２監視カメラによる画像取得の処理のシーケンス図である。
【図１４】第３の実施形態に係る、第１監視カメラが異常時の第２監視カメラによる画像取得の処理のフローチャートである。
【図１５】第３の実施形態に係る、第１監視カメラが異常時の第２監視カメラによる画像取得の処理のシーケンス図である。
【図１６】第４の実施形態に係る、第１監視カメラが故障時の第２監視カメラによる画像取得の処理のフローチャートである。
【図１７】第４の実施形態に係る、第１監視カメラが故障時の第２監視カメラによる画像取得の処理のシーケンス図である。
【図１８】実施形態に係る、車両ドアが奇数有る場合の監視カメラシステムの配置例の概要を模式的に示す図である。
【図１９】背景技術に係る、車両ドア監視システムの例を示す図である。
【図２０】背景技術に係る、モニタへの表示例を示した図である。
【発明を実施するための形態】
【００１２】
次に、本発明を実施するための形態（以下、単に「実施形態」という）を、図面を参照して具体的に説明する。本実施形態の概要は次の通りである。（１）監視カメラの画角を大きく取得することで車両ドアを２つ以上監視可能とし、監視カメラが非正常状態（故障等の異常状態やメンテナンスのための停止状態）となった際は他の正常状態の監視カメラでの監視が続行できることとする。（２）監視カメラの映像を割り当てるモニタについて、監視カメラが故障し映像が表示されていない箇所に対し、故障した監視カメラの替わりに監視を行う監視カメラの映像を割り当てることで、正常運用（通常運用）時と変わらない操作性とする。
【００１３】
これらによって、次の効果が得られる。（１）車両ドアを監視する監視カメラが故障し映像がモニタ上に表示されない際、その映像表示位置へ故障した監視カメラの替わりに監視を行う監視カメラの映像を割り当て、正常運用時と変わらない映像表示とすることで、可用性と監視の容易性が向上する。（２）車両ドアを監視する監視カメラが故障した際、監視カメラを復旧するまでのロスタイム無しに監視を続けることが可能となり、作業効率、可用性が向上する。（３）車両ドアを監視する監視カメラが故障した際、乗務員は車両の外に出て目視による車両ドアの確認を行う必要が無くなり、作業効率、乗務員の負担軽減、監視の容易性が向上する。
【００１４】
＜第１実施形態＞   図１は、１編成の列車に搭載した鉄道向け監視カメラシステム１００であり、列車内から乗降口（扉）付近を監視する監視カメラシステム１００の配置例の概要を模式的に示す。図２は、監視カメラシステム１００の構成の一実施例を説明するためのブロック図である。なお、図１は監視カメラシステム１００の列車への搭載及び配置を中心として、図２は監視カメラシステム１００を構成する各機器の接続を中心として説明するための図である。図２の破線の枠は、図１の第１〜第４車両１〜４を示しており、監視カメラシステム１００を構成する全ての機器は、例えば有線接続であればネットワークケーブルで接続されている。
【００１５】
図１の列車は、先頭の第１車両１、中間の第２車両２及び第３車両３、最後尾の第４車両４の４両編成であって、鉄道向けの監視カメラシステム１００が列車内の車両に搭載されている。このとき列車の進行方向は、第１車両１を先頭車両として進む方向として説明する。
【００１６】
各車両（第１〜第４車両１〜４）は、片側４ドア（両側で８ドア）の車両である。各車両の一方の側（例えば進行方向の左側）において、進行方向側から第１車両ドア７１、第２車両ドア７２、第３車両ドア７３及び第４車両ドア７４を備える。他方の側（例えば進行方向の右側）にも、進行方向側から第１車両ドア７１、第２車両ドア７２、第３車両ドア７３及び第４車両ドア７４を備える。
【００１７】
乗客は、駅のホームに合わせて開く左側若しくは右側のどちらか片側の扉から、または両側の扉から、車両への乗り降りを行う。
【００１８】
第１〜第４車両ドア７１〜７４のそれぞれに対して、それぞれ第１〜第４監視カメラ１１〜１４が、乗降監視のために取り付けられている。第１〜第４監視カメラ１１〜１４は、例えば、ＩＰカメラである。また、図１では、車両の左右にある乗降用の扉の、左側の扉とその左側の扉に関わる監視カメラだけを図示し、反対側（右側）の扉及びその扉に関わる監視カメラを図示していない。監視カメラ以外の他の構成は、左右の扉に関係なく共通である。
【００１９】
先頭の第１車両１には、監視用のモニタＰＣ４０が設けられており、また、最後尾の第４車両４にも、監視用のモニタＰＣ１４２が設けられている。モニタＰＣ１４０、１４２は、それぞれ複数で構成されてもよい。
【００２０】
運転手は、全ての第１〜第４監視カメラ１１〜１４が撮像した映像を、モニタＰＣ１４０、１４２によって確認することができる。表示される映像は、例えば、１つの車両の監視カメラについて複数に分割された表示領域で示し、順次別の車両の監視カメラの映像に切り替わるように表示されてもよい。
【００２１】
モニタリングシステム１００は、図１または図２に示すように、第１〜第４車両１〜４を連結した列車に設置される。監視カメラシステム１００は、第１〜第４監視カメラ１１〜１４、モニタＰＣ１４０、１４２、Ｌ２−ＳＷ（レイヤ２スイッチ）１４４〜１４７、サーバ５０、録画装置５１、上位サーバ５２で構成されている。なお、図示しない電源供給ケーブルが、各機器に第１〜第４車両１〜４の電源供給部（図示しない）から電源を供給する。
【００２２】
先頭の第１車両１には、サーバ（制御装置）５０と録画装置５１、上位サーバ５２、第１〜第４監視カメラ１１〜１４（１１ａ〜１４ａ及び１１ｂ〜１４ｂ）、モニタＰＣ１４０〜１４１、及びＬ２−ＳＷ１４４が設置されている。
【００２３】
サーバ５０、録画装置５１、モニタＰＣ１４０〜１４１、及び第１〜第４監視カメラ１１〜１４は、それぞれＬ２−ＳＷ１４４に接続され、上位サーバ５２は、サーバ５０に接続されている。また、Ｌ２−ＳＷ１４４は、後の第２車両２に設置されたＬ２−ＳＷ１４５と接続されている。
【００２４】
最後尾の第４車両４には、第１〜第４監視カメラ１１〜１４（１１ａ〜１４ａ及び１１ｂ〜１４ｂ）、モニタＰＣ１４２、及びＬ２−ＳＷ１４７が設置されている。第１〜第４監視カメラ１１〜１４、及びモニタＰＣ１４２は、それぞれＬ２−ＳＷ１４７に接続されている。また、Ｌ２−ＳＷ１４７は、前の第３車両３に設置されたＬ２−ＳＷ１４６と接続されている。
【００２５】
なお、上位サーバ５２は、例えば、列車の運行を管理する装置であり、例えば、ＴＭＳ（Train Management System）である。上位サーバ５２は、列車運行中には、列車の運行情報をサーバ５０に所定の周期で出力している。列車の運行情報は、少なくとも、列車の速度情報、乗降扉開閉情報（乗降用の扉が開いているか、閉じているかの情報）、次に停車する駅若しくは現在停車中の駅のホームにおける乗降口の情報（例えば、左側の扉が乗降口であるか、右側の扉が乗降口であるかの情報）、車両数である。
【００２６】
中間の第２車両２には、第１〜第４監視カメラ１１〜１４（１１ａ〜１４ａ及び１１ｂ〜１４ｂ）、及びＬ２−ＳＷ１４５が設置されている。Ｌ２−ＳＷ１４５は、前の第１車両１に設置されたＬ２−ＳＷ１４４、及び後の第３車両３に設置されたＬ２−ＳＷ１４６とそれぞれネットワークケーブルで接続されている。また第３車両３は、第２車両２と同様に、第１〜第４監視カメラ１１〜１４（１１ａ〜１４ａ及び１１ｂ〜１４ｂ）、及びＬ２−ＳＷ１４６が設置されており、Ｌ２−ＳＷ１４６は、前の第２車両２に設置されたＬ２−ＳＷ１４５、及び後の第４車両４に設置されたＬ２−ＳＷ１４７とそれぞれネットワークケーブルで接続されている。
【００２７】
このように、先頭の第１車両１と中間の第２車両２、中間の第２車両２と第３車両３同士、中間の第３車両３と最後尾の第４車両４は、それぞれ隣り合う車両に搭載されたＬ２−ＳＷ同士をネットワークケーブル等で接続することで、列車内で１つのネットワークを構築している。
【００２８】
なお、ネットワークケーブルは、例えば、車両床下を経由してツナギ箱（図示しない）へ接続され、車両間についてはそれぞれの隣り合う車両のツナギ箱間をジャンパ線（図示しない）によって接続する。
【００２９】
図１、図２の監視カメラシステム１００では、先頭の第１車両１に運転手が搭乗し、列車の運行（運転や、乗降口の開閉等）の操作を１人で行うことができる。
【００３０】
全ての第１〜第４監視カメラ１１〜１４（１１ａ〜１４ａ及び１１ｂ〜１４ｂ）は、予め定められた視野内をそれぞれ所定の撮像フレームレートで撮像する。そして、第１〜第４監視カメラ１１〜１４は、撮像した映像（ライブ映像）をH.264/MPEG4/JPEG等の形式で圧縮し、Ｌ２−ＳＷとネットワークケーブルを経由して、録画装置５１及びモニタＰＣ１４０、１４２に送信する。
【００３１】
録画装置５１は、入力された映像を、撮像した監視カメラ及び撮像時刻と関連付けて常時記録している。モニタＰＣ１４０、１４２は、全ての第１〜第４監視カメラ１１〜１４のライブ映像及び録画映像をサーバ５０の指示により、伸張及び切り出し等の映像処理を施して画面に表示する。
【００３２】
なお、録画映像は、主に事故や犯罪の発生等の有事の際に、解析資料や証拠映像として使用される。また、サーバ５０やモニタＰＣ１４０、１４２や第１〜第４監視カメラ１１〜１４（１１ａ〜１４ａ及び１１ｂ〜１４ｂ）や録画装置５１の主な設定は、操作者が、予めシステム運用開始時に設定する。
【００３３】
また、第１〜第４監視カメラ１１〜１４（１１ａ〜１４ａ及び１１ｂ〜１４ｂ）は、録画装置５１及びモニタＰＣ１４０、１４２に、所定の送信フレームレートで映像を送信する。または、第１〜第４監視カメラ１１〜１４（１１ａ〜１４ａ及び１１ｂ〜１４ｂ）は、モニタＰＣ１４０、１４２からＬ２−ＳＷを介して送信される送信要求に応じて、録画装置５１及びモニタＰＣ１４０、１４２に所定の送信フレームレートで映像を送信する。
【００３４】
なお、第１〜第４監視カメラ１１〜１４（１１ａ〜１４ａ及び１１ｂ〜１４ｂ）の映像を、監視カメラが自動的に所定のフレームレートで送信するか、モニタＰＣ１４０、１４２からの送信要求に応じて送信するかは、予め操作者が、予めシステム運用開始時に設定することが可能であるし、また、運転手がサーバ５０を操作して切り替えることが可能である。
【００３５】
また、サーバ５０は、第１〜第４監視カメラ１１〜１４（１１ａ〜１４ａ及び１１ｂ〜１４ｂ）の画角や撮影方向を制御することができる。なお、監視カメラの画角や撮影方向を制御とは、監視カメラ自体にそれらを変更する機能がある場合には、サーバ５０から監視カメラへ変更の指示が出力される。
【００３６】
また、変更する機能が無い場合には、撮影した映像から実際に表示する領域を抽出する際に、その抽出エリアを制御する。また、サーバ５０は、第１〜第４監視カメラ１１〜１４の故障発生等の状態を監視し、故障が発生した場合に、後述する処理により一定条件下で、列車監視を継続する。
【００３７】
つづいて、第１〜第４監視カメラ１１〜１４の運用形態の詳細を、図３〜図１０を参照して説明する。ここでは、一つの車両４０に着目して説明する。
【００３８】
図３は駅のホーム９９に停車中の電車の車両４０を表したものである。
車両外に取り付けられた第１〜第４監視カメラ１１〜１４はそれぞれ第１〜第４車両ドア７１〜７４を監視している。このとき、第１監視カメラ１１と第２監視カメラ１２、第３監視カメラ１３と第４監視カメラ１４はそれぞれ対となる組合せとして設定されている。
【００３９】
具体的には、ある監視カメラが故障した場合に、対の監視カメラが、故障した監視カメラの監視領域も撮影しモニタ８０に表示する。例えば、第１監視カメラ１１が故障した場合には、第２監視カメラ１２が、第１車両ドア７１と第２車両ドア７２の両方のエリアを撮影する。
【００４０】
より具体的には、第１監視カメラ１１は、第１車両ドア７１の前方側上方に取り付けられ、後方下側を撮像方向に設定されている。第２監視カメラ１２は、第２車両ドア７２の後方側上方に取り付けられ、前方下側を撮像方向に設定されている。第３監視カメラ１３は、第３車両ドア７３の前方側上方に取り付けられ、後方下側を撮像方向に設定されている。第４監視カメラ１４は、第４車両ドア７４の後方側上方に取り付けられ、前方下側を撮像方向に設定されている。
【００４１】
このとき第１車両ドア７１を監視する第１監視カメラ１１と、第２車両ドア７２を監視する第２監視カメラ１２と、第３車両ドア７３を監視する第３監視カメラ１３と、第４車両ドア７４を監視する第４監視カメラ１４の映像を４分割表示のモニタ８０に割り付けた表示例を図４に示す。
【００４２】
なお、運転手等の乗務員が監視し易いように、第２監視カメラ１２、第４監視カメラ１４の映像を反転し、監視方向を全てのカメラで統一して、図５のように表示させてもよい。映像の反転を行うか行わないかは運用形態に合わせて選択可能に構成される。
【００４３】
第１監視カメラ１１〜１４はそれぞれ第１〜第４車両ドア７１〜７４とその周辺の映像を取得し、モニタ８０（図１等のモニタＰＣ１４０、１４２や図示しない管理室のモニタ）上に表示する。なお、サーバ５０は、周期的に第１監視カメラ１１〜１４の状態監視を行っている。
【００４４】
ここでは、対に設定されている第１監視カメラ１１と第２監視カメラ１２に着目し、上記の運用形態で監視を行っている際に第１監視カメラ１１が故障した場合の処理例について具体的に説明する。図６〜図１０を参照して説明する。
【００４５】
図６は、第１監視カメラ１１が故障したときの運用形態の概要を示している。図７は、第１監視カメラ１１が故障時の第２監視カメラ１２による画像取得例を示している。図８は、そのときのモニタ８０への表示例を示している。図９は、フローチャートである。図１０は、サーバ５０と第１監視カメラ１１、第２監視カメラ１２、及びモニタ８０の分割領域Ａ８１、分割領域Ｂ８２の動作等のシーケンス図である。
【００４６】
監視システムが起動すると、サーバ５０は、第１〜第４監視カメラ１１〜１４の状態監視を実行し、モニタ８０への監視映像の表示を継続する（Ｓ１０〜Ｓ３６）。
【００４７】
サーバ５０は、第１監視カメラ１１の状態が正常であるか否かを判断する（Ｓ１２）。すなわち、サーバ５０は、第１監視カメラ１１の故障の有無を検知する。
【００４８】
第１監視カメラ１１が正常であれば（Ｓ１２のＹ）、サーバ５０は、前回判断時の状態が正常であったか否かを判断する（Ｓ１４）。すなわち、サーバ５０は、サーバ５０内で管理する第１監視カメラ１１の状態フラグが「異常」から「正常」に変化したか、それとも「正常」の状態が継続しているかを判断する。
【００４９】
前回の状態フラグが「異常」であれば（Ｓ１４のＮ）、サーバ５０は、第１監視カメラ１１が故障から復旧したものと判断し、第１監視カメラ１１の状態フラグを「正常」に更新し（Ｓ１６）、画角拡大状態となっている第２監視カメラ１２に対して画角縮小の指示コマンド、すなわち正常運用の画角サイズに戻る指示コマンドを送信する（Ｓ１８）。画角縮小の指示を受けた第１監視カメラ１１は、正常運用中に取得している画角サイズへ戻すよう画角調整を行う。
【００５０】
前回の状態フラグが「正常」である場合（Ｓ１４のＹ）、または、上記の第２監視カメラ１２への画角縮小の指示コマンド送信後（Ｓ１８）、サーバ５０は第２監視カメラ１２から取得した映像を反転処理し（Ｓ２０）、正常運用中の表示処理として、第１監視カメラ１１及び第２監視カメラ１２の映像をモニタ８０へ表示するよう指示する（Ｓ２２）。
【００５１】
その後、第１監視カメラ１１及び第２監視カメラ１２を表示するモニタ８０の分割表示画面の表示更新を行う。分割領域Ａ８１へ第１監視カメラ１１の映像、分割領域Ｂ８２へ監視カメラＢの映像を表示する。表示が終了すると、サーバ５０は、監視システムを終了するか否かを判断し（Ｓ２４）、終了する場合は（Ｓ２４のＹ）、当該フローの処理（Ｓ１０〜Ｓ３６）を終了させる。終了しない場合（Ｓ２４のＮ）は、第１監視カメラ１１の状態監視（Ｓ１２）へ戻る。
【００５２】
一方、第１監視カメラ１１の状態が正常であるかの判断処理において、第１監視カメラ１１の故障を検知すると（Ｓ１２のＮ）、サーバ５０は、非正常時撮像取得工程（Ｓ２６〜Ｓ３４）を実行する。すなわち、サーバ５０は、第１監視カメラ１１の状態フラグを「異常」に更新し（Ｓ２６）、第１監視カメラ１１の対となる第２監視カメラ１２に対し、画角拡大の指示コマンドを送信する（Ｓ２８）。
【００５３】
画角拡大の指示を受けた第２監視カメラ１２は、正常運用中に取得している画角サイズより広く取得するよう画角調整を行う。
【００５４】
この時の運用形態では、図６に示すように、第２監視カメラ１２の監視範囲３０ｘが、第１車両ドア７１と第２車両ドア７２の両方を含めた広範囲の領域に調整されている。
【００５５】
これにより第２監視カメラ１２は、第１車両ドア７１及び第２車両ドア７２の両方の監視を行うことが出来る映像を取得する。
【００５６】
サーバ５０は、第２監視カメラ１２から取得した第１車両ドア７１及び第２車両ドア７２を含む映像から、第１車両ドア７１及び第２車両ドア７２の領域を抽出する表示サイズトリミング処理を行い、正常運用時の監視領域サイズにトリミングし所望のエリアを抽出する（Ｓ３０）。
【００５７】
図７の例では、太い実線範囲Ｘが本来の第１監視カメラ１１の監視領域であり、破線範囲Ｙが第２監視カメラ１２の監視領域となる。すなわち、第２監視カメラ１２が撮影した映像から、所定の範囲がトリミングされ、トリミングされた映像が第１車両ドア７１及び第２車両ドア７２の監視領域の映像として用いられる。
【００５８】
さらに、サーバ５０は、正常運用時の映像表示の向きと同じになるように、第２監視カメラ１２からトリミングした第１車両ドア７１及び第２車両ドア７２の映像を反転し（Ｓ３２）、反転後の映像を表示するように指示する（Ｓ３４）。
【００５９】
その後、第１監視カメラ１１及び第２監視カメラ１２を表示するモニタ８０の分割表示画面の表示更新を行う。第１監視カメラ１１が故障している間は、第１監視カメラ１１、第２監視カメラ１２の映像表示を行う分割表示画面の両方へ、第２監視カメラ１２の映像を表示する。表示する第２監視カメラ１２の映像は、各監視カメラの正常運用時の監視領域サイズにトリミングし反転する。
【００６０】
図８に、図７で示した監視領域の表示例、すなわちモニタ８０の映像表示状態を示す。分割領域Ａ８１には、本来であれば、第１監視カメラ１１の映像が表示される。しかし、第１監視カメラ１１が故障している場合は、第１監視カメラ１１ではなく第２監視カメラ１２の映像、より具体的には、図７に示すように、広角撮影された第２監視カメラ１２の映像から第１車両ドア７１を含む所定の領域（実線範囲Ｘ）をトリミングした映像が分割領域Ａ８１に表示される。また、分割領域Ｂ８２には、第２監視カメラ１２の映像が表示されるが、通常値とは異なり広角撮影された映像から第２車両ドア７２を含む所定の領域（破線範囲Ｙ）をトリミングした映像が表示される。
【００６１】
なお、第２監視カメラ１２の広角設定と基に戻す設定の動作が十分に速く行える場合は、第２車両ドア７２を撮影する領域については、第１監視カメラ１１が故障していない場合と同様の映像を用いて、第１車両ドア７１の映像を取得する場合にのみ、第２監視カメラ１２を広角設定し所定の領域を抽出するようにしてもよい。
【００６２】
表示が終了すると、サーバ５０は、監視システムを終了するか否かを判断し（Ｓ２４）、終了する場合は（Ｓ２４のＹ）、当該フローの処理（Ｓ１０〜Ｓ３６）を終了させる。終了しない場合（Ｓ２４のＮ）は、第１監視カメラ１１の状態監視（Ｓ１２）へ戻る。
【００６３】
以上、本実施形態によると、車両ドア（第１車両ドア７１〜第４車両ドア７４）を監視する監視カメラ（第１監視カメラ１１〜第４監視カメラ１４）のいずれかが故障し、故障した監視カメラの映像がモニタ８０上に表示されない際、その映像表示位置へ故障した監視カメラの替わりに監視を行う監視カメラの映像を割り当て、正常運用時と変わらない映像表示とすることができ、可用性と監視の容易性を向上させることができる。
【００６４】
また、監視カメラが故障した際、監視カメラを復旧するまでのロスタイム無しに監視を続けることが可能となり、作業効率、可用性を向上させることができる。さらに、監視カメラが故障した際、乗務員は車両の外に出て目視による車両ドアの確認を行う必要が無くなり、作業効率、乗務員の負担軽減、監視の容易性を向上させることができる。
【００６５】
＜第２実施形態＞   第２の実施形態を図１１〜図１３を参照して説明する。図１１は、本実施形態の運用形態の概要を示す。図１２は、サーバ５０の動作を示すフローチャートである。図１３は、サーバ５０、第１監視カメラ１１、第２監視カメラ１２、モニタ８０（分割領域Ａ８１、分割領域Ｂ８２）のシーケンス図である。なお、監視カメラシステム１００の構成は、第１の実施形態と同様であり、主に処理動作について説明する。
【００６６】
本実施形態では、第１監視カメラ１１が故障した際に、第２監視カメラ１２の画角を広げるのではなく、予め全てのカメラにおいて、対の組み合わせとなるカメラが撮影する車両ドアを含めて監視するように、広い画角（監視範囲３０Ａ）で撮影する。すなわち、正常運用時も第１監視カメラ１１は、第１車両ドア７１と第２車両ドア７２の両方を撮影する。第２監視カメラ１２も、第１車両ドア７１と第２車両ドア７２の両方を撮影する。
【００６７】
第１監視カメラ１１が故障した場合は、第２監視カメラ１２の監視映像から、第２車両ドア７２の領域をトリミングするとともに、第１車両ドア７１の領域をトリミング、反転することで、第１監視カメラ１１の監視範囲を補完する。
【００６８】
図１２のフローチャート及び図１３のシーケンス図を参照してより具体的に説明する。
監視システムが起動すると、サーバ５０は、第１〜第４監視カメラ１１〜１４の状態監視を実行し、モニタ８０への監視映像の表示を継続する（Ｓ１１０〜Ｓ１３４）。
【００６９】
まず、サーバ５０は、第１監視カメラ１１の状態が正常であるか否かを判断する（Ｓ１１２）。第１監視カメラ１１が正常であれば（Ｓ１１２のＹ）、サーバ５０は、前回判断時の状態（状態フラグ）が正常であったか否かを判断する（Ｓ１１４）。
【００７０】
前回の状態フラグが「異常」であれば（Ｓ１１４のＮ）、サーバ５０は、第１監視カメラ１１が故障から復旧したものと判断し、第１監視カメラ１１の状態フラグを「正常」に更新する（Ｓ１１６）。前回の状態フラグが「正常」の場合（Ｓ１１４のＹ）及び第１監視カメラ１１の状態フラグを「正常」に更新した後、サーバ５０は、第１車両ドア７１の監視領域として第１監視カメラ１１の映像をまた第２車両ドア７２の監視領域として第２監視カメラ１２の映像をトリミングし（Ｓ１１８）、第２監視カメラ１２のトリミングした映像については反転させる（Ｓ１２０）。
【００７１】
その後、サーバ５０は、第１監視カメラ１１及び第２監視カメラ１２の映像をモニタ８０へ表示するよう指示する（Ｓ１２２）。
【００７２】
その後、第１監視カメラ１１及び第２監視カメラ１２を表示するモニタ８０の分割表示画面の表示更新を行う。分割領域Ａ８１へ第１監視カメラ１１の映像、分割領域Ｂ８２へ監視カメラＢの映像を表示する。表示が終了すると、サーバ５０は、監視システムを終了するか否かを判断し（Ｓ１２４）、終了する場合は（Ｓ１２４のＹ）、当該フローの処理（Ｓ１１０〜Ｓ１３４）を終了させる。終了しない場合（Ｓ１２４のＮ）は、第１監視カメラ１１の状態監視（Ｓ１１２）へ戻る。
【００７３】
一方、第１監視カメラ１１の状態が正常であるかの判断処理において、第１監視カメラ１１の故障を検知すると（Ｓ１１２のＮ）、サーバ５０は、第１監視カメラ１１の状態フラグを「異常」に更新し（Ｓ１２６）、第１車両ドア７１と第２車両ドア７２の二つの管理領域の映像を第２監視カメラ１２の映像からトリミングし（Ｓ１２８）、トリミングの二つの映像をそれぞれ反転させ（１３０）、第１監視カメラ１１が故障している間は、第１監視カメラ１１、第２監視カメラ１２の映像表示を行う分割表示画面の両方へ、第２監視カメラ１２の映像を表示させる（Ｓ１３２）。
【００７４】
表示が終了すると、サーバ５０は、監視システムを終了するか否かを判断し（Ｓ１２４）、終了する場合は（Ｓ１２４のＹ）、当該フローの処理（Ｓ１１０〜Ｓ１３４）を終了させる。終了しない場合（Ｓ１２４のＮ）は、第１監視カメラ１１の状態監視（Ｓ１１２）へ戻る。
【００７５】
以上、本実施形態によると、第１の実施形態と同様の効果を得ることができる。また、第１監視カメラ１１〜第４監視カメラ１４に、画角調整の機械的な機構が備わっていない場合でも、対応することができるため、安価なカメラでも適用することができ、コストを低減できる。また、そのような機構の故障を考慮する必要が無く、長期の無故障運用が可能となる。
【００７６】
＜第３の実施形態＞   本実施形態では、監視カメラシステム１００内の車掌室や管理室にいる監視者から確認しにくい場合、システムソフトウェアの操作画面上に操作ボタンを用意するか操作器により、第１〜第１４監視カメラ１１〜１４が故障しなくても、対となるカメラによる映像処理を行う。例えば、第１監視カメラ１１のレンズ汚れなどの要因で映像が不鮮明の場合に、第２監視カメラ１２の映像が使用される。この処理は前述の状態監視により自動で切り替える手法と併用してもよい。
【００７７】
図１４はサーバ５０の動作を示すフローチャートである。図１５は、サーバ５０、第１監視カメラ１１、第２監視カメラ１２、モニタ８０（分割領域Ａ８１、分割領域Ｂ８２）のシーケンス図である。これらの図を参照して、第１車両ドア７１の監視映像を第１監視カメラ１１の映像から第２監視カメラ１２の映像への切替操作又は切替戻し操作について説明する。
【００７８】
操作ボタンや操作器へ操作が行われると（Ｓ２１０）、サーバ５０は操作内容がカメラの切替操作であるか切替戻し操作であるかを判断する（Ｓ２１２）。切替戻し操作である場合（Ｓ２１２のＮ）、サーバ５０は第２監視カメラ１２に対して画角縮小の指示コマンドを送信する（Ｓ２１４）。これにより、サーバ５０は、正常運用による第１監視カメラ１１の第１車両ドア７１の映像及び第２監視カメラ１２の第２車両ドア７２の映像を取得する。
【００７９】
サーバ５０は、第２監視カメラ１２の映像については反転処理を施し（Ｓ２１６）、第１監視カメラ１１及び第２監視カメラ１２の映像の表示指示を行う（Ｓ２１８）。この処理により、モニタ８０の分割領域Ａ８１に第１監視カメラ１１の映像が、分割領域Ｂ８２に第２監視カメラ１２の映像が表示される。
【００８０】
一方、Ｓ２１２の処理で、切替操作である場合（Ｓ２１２のＹ）、サーバ５０は第２監視カメラ１２に対して画角拡大の指示コマンドを送信する（Ｓ２２２）。第２監視カメラ１２は、その指示に応じ、画角を拡大する。
【００８１】
第２監視カメラ１２から画角拡大指示への応答があると、サーバ５０は、第２監視カメラ１２の映像から、第１車両ドア７１及び第２車両ドア７２のそれぞれの領域について所定の表示サイズにトリミングを行い（Ｓ２２４）、さらにトリミング後の二つの映像を反転処理し（Ｓ２２６）、それらの映像表示をするようにモニタ８０へ指示する（Ｓ２２８）。この処理により、モニタ８０の分割領域Ａ８１に第２監視カメラ１２による第１車両ドア７１が、分割領域Ｂ８２に第２監視カメラ１２の第２車両ドア７２の映像が表示される。
【００８２】
モニタ８０への表示指示が終了後（Ｓ２１８、Ｓ２２８）、監視システムを終了する場合は（Ｓ２２０のＹ）、サーバ５０は監視を終了し、監視システムを終了しない場合（Ｓ２２０のＮ）、操作ボタンや操作器へ操作の検知へ戻る（Ｓ２１０）。
【００８３】
＜第４の実施形態＞   本実施形態では、第１〜第４監視カメラ１１〜１４の撮像範囲上に予めマーカを設置し閾値を持たせておく。レンズの汚れや傷等によって、マーカの識別状態が閾値を下回った場合は映像の監視が困難であると判断して、対となる監視カメラのうち一方の監視カメラの利用を停止し、他方の監視カメラの映像を用いる。
【００８４】
例えば、第１監視カメラ１１の撮像範囲上において閾値を上回り回復した場合は、映像の監視が可能であると判断して第１監視カメラ１１の映像へ切替えて戻す。この処理について、図１６のフローチャート及び図１７のシーケンス図を用いて説明する。
【００８５】
監視システムが起動すると、サーバ５０は、第１〜第４監視カメラ１１〜１４の状態監視を実行し、モニタ８０への監視映像の表示を継続する（Ｓ３１０〜Ｓ３３６）。
【００８６】
サーバ５０は、撮像範囲上に予め設けられたマーカを識別し、所定の閾値と比較し、映像が監視に適した正常な状態であるか否かを判断する（Ｓ３１２）。第１監視カメラ１１が正常であれば（Ｓ３１２のＹ）、サーバ５０は、前回判断時の状態が正常であったか否かを判断する（Ｓ３１４）。
【００８７】
前回の状態フラグが「異常」であれば（Ｓ３１４のＮ）、サーバ５０は、第１監視カメラ１１が異常から復旧したものと判断し、第１監視カメラ１１の状態フラグを「正常」に更新し（Ｓ３１６）、画角拡大状態となっている第２監視カメラ１２に対して画角縮小の指示コマンド、すなわち正常運用の画角サイズに戻る指示コマンドを送信する（Ｓ３１８）。画角縮小の指示を受けた第１監視カメラ１１は、正常運用中に取得している画角サイズへ戻すよう画角調整を行う。
【００８８】
前回の状態フラグが「正常」である場合（Ｓ３１４のＹ）、または、上記の第２監視カメラ１２への画角縮小の指示コマンド送信後（Ｓ３１８）、サーバ５０は第２監視カメラ１２から取得した映像を反転処理し（Ｓ３２０）、正常運用中の表示処理として、第１監視カメラ１１及び第２監視カメラ１２の映像をモニタ８０へ表示するよう指示する（Ｓ３２２）。
【００８９】
その後、第１監視カメラ１１及び第２監視カメラ１２を表示するモニタ８０の分割表示画面の表示更新を行う。分割領域Ａ８１へ第１監視カメラ１１の映像、分割領域Ｂ８２へ監視カメラＢの映像を表示する。
【００９０】
表示が終了すると、サーバ５０は、監視システムを終了するか否かを判断し（Ｓ３２４）、終了する場合は（Ｓ３２４のＹ）、当該フローの処理（Ｓ３１０〜Ｓ３３６）を終了させる。終了しない場合（Ｓ３２４のＮ）は、第１監視カメラ１１の状態監視（Ｓ３１２）へ戻る。
【００９１】
一方、第１監視カメラ１１の状態が正常であるかの判断処理において、第１監視カメラ１１の異常、すなわちマーカの識別状態の異常を検知すると（Ｓ３１２のＮ）、サーバ５０は、第１監視カメラ１１の状態フラグを「異常」に更新し（Ｓ３２６）、第１監視カメラ１１の対となる第２監視カメラ１２に対し、画角拡大の指示コマンドを送信する（Ｓ３２８）。
【００９２】
画角拡大の指示を受けた第２監視カメラ１２は、正常運用中に取得している画角サイズより広く取得するよう画角調整を行う。その結果、上述の図６で説明したように、第２監視カメラ１２の映像は、第１車両ドア７１と第２車両ドア７２の両方を含めた広範囲の領域を含む。これにより第２監視カメラ１２は、第１車両ドア７１及び第２車両ドア７２の両方の監視を行うことが出来る映像を取得する。
【００９３】
サーバ５０は、第２監視カメラ１２から取得した第１車両ドア７１及び第２車両ドア７２を含む映像から、第１車両ドア７１及び第２車両ドア７２の領域を抽出する表示サイズトリミング処理を行い、正常運用時の監視領域サイズにトリミングする（Ｓ３３０）。
【００９４】
さらに、サーバ５０は、正常運用時の映像表示の向きと同じになるように、第２監視カメラ１２からトリミングした第１車両ドア７１及び第２車両ドア７２の映像を反転し（Ｓ３３２）、反転後の映像を表示するように指示する（Ｓ３３４）。
【００９５】
その後、第１監視カメラ１１及び第２監視カメラ１２を表示するモニタ８０の分割表示画面の表示更新を行う。第１監視カメラ１１が故障している間は、第１監視カメラ１１、第２監視カメラ１２の映像表示を行う分割表示画面の両方へ、第２監視カメラ１２の映像を表示する。表示する第２監視カメラ１２の映像は、各監視カメラの正常運用時の監視領域サイズにトリミングし反転する。
【００９６】
表示が終了すると、サーバ５０は、監視システムを終了するか否かを判断し（Ｓ３２４）、終了する場合は（Ｓ３２４のＹ）、当該フローの処理（Ｓ３１０〜Ｓ３３６）を終了させる。終了しない場合（Ｓ３２４のＮ）は、第１監視カメラ１１の状態監視（Ｓ３１２）へ戻る。
【００９７】
＜第５の実施形態＞   本実施形態では、１車両（車両４０）が３ドア構成など、車両ドアの数が奇数の場合も実現可能である。図１８は、このときの構成図を示す。第１監視カメラ１１は予め画角を広く設定した監視範囲３０Ｂとする。このとき、第１監視カメラ１１は、第１車両ドア７１及び第２車両ドア７２を監視する。
【００９８】
また、第３監視カメラ１３は通常の監視範囲３０Ｃで第３車両ドア７３を監視する。第２車両ドア７２の監視は第３監視カメラ１３が行ってもよいし、第１監視カメラ１１及び第２監視カメラ１２の両方で行ってもよい。
【００９９】
例えば第１監視カメラ１１が故障した場合は、第２監視カメラ１２の画角を広くし第１車両ドア７１〜第３車両ドア７３の映像を取得する。また、第３監視カメラ１３が故障した場合は第１監視カメラ１１の画角を更に広くし第１車両ドア７１〜第３車両ドア７３の映像を取得する。画角及びトリミング枚数が４ドア構成の際と異なるが、各処理のフローチャート及びシーケンスは、上述した図９、１０、１２〜１７と同様の処理で実施可能である。
【０１００】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【０１０１】
例えば、車両ドアを車両外に取り付けた監視カメラにより監視する運用形態で実現されるが、車両ドアを車両内より監視するもしくは車両内部を監視する運用形態で実施してもよい。また、映像のトリミングと反転のタイミングは、入れ替えてもよく、処理効率の観点から適宜処理順が設定されうる。
【符号の説明】
【０１０２】
１〜４  第１〜第４車両１１〜１４、１１ａ〜１４ａ、１１ｂ〜１４ｂ  第１〜第４監視カメラ３０、３０Ａ〜３０Ｃ  監視範囲４０  車両５０  サーバ５１  録画装置５２  上位サーバ６０  乗客７１〜７４  第１〜第４車両ドア８０  モニタ８１〜８４  分割領域Ａ〜Ｄ９９  ホーム１００  監視カメラシステム１４０、１４２  モニタＰＣ１４４〜１４７  Ｌ２−ＳＷ
【図１】
2018180310.tif 000003
【図２】
2018180310.tif 000004
【図３】
2018180310.tif 000005
【図４】
2018180310.tif 000006
【図５】
2018180310.tif 000007
【図６】
2018180310.tif 000008
【図７】
2018180310.tif 000009
【図８】
2018180310.tif 000010
【図９】
2018180310.tif 000011
【図１０】
2018180310.tif 000012
【図１１】
2018180310.tif 000013
【図１２】
2018180310.tif 000014
【図１３】
2018180310.tif 000015
【図１４】
2018180310.tif 000016
【図１５】
2018180310.tif 000017
【図１６】
2018180310.tif 000018
【図１７】
2018180310.tif 000019
【図１８】
2018180310.tif 000020
【図１９】
2018180310.tif 000021
【図２０】
2018180310.tif 000022
【手続補正書】
【提出日】令和1年7月24日(2019.7.24)
【手続補正１】
【補正対象書類名】特許請求の範囲
【補正対象項目名】全文
【補正方法】変更
【補正の内容】
【特許請求の範囲】
【請求項１】
列車の第１の車両ドアと第２の車両ドアを撮像する、第１のカメラと第２のカメラと、前記カメラの映像を取得するとともに、前記カメラの状態を監視する制御部と、を備えた監視システムであって、
前記制御部は、
前記第１のカメラの状態が正常である場合、前記第１のカメラの映像から前記第１の車両ドアの領域をトリミングし、前記第２のカメラの映像から前記第２の車両ドアの領域をトリミングし、
前記第１のカメラの状態が異常である場合、前記第２のカメラの映像から前記第１の車両ドアの領域をトリミングし、前記第２のカメラの映像から前記第２の車両ドアの領域をトリミングすることを特徴とする監視システム。
【請求項２】
前記制御部は、
前記第１のカメラの状態が正常である場合、前記第２のカメラの映像からトリミングした前記第２の車両ドアの映像を反転し、
前記第１のカメラの状態が異常である場合、前記第２のカメラの映像からトリミングした前記第１の車両ドアの映像と前記第２の車両ドアの映像を反転する
ことを特徴とする請求項１に記載の監視システム。
【請求項３】
列車の第１の車両ドアと第２の車両ドアを、第１のカメラと第２のカメラで監視する監視方法であって、
前記カメラの状態を監視する状態監視工程と、
前記カメラの状態が正常である場合、前記第１のカメラの映像から前記第１の車両ドアの領域をトリミングし、前記第２のカメラの映像から前記第２の車両ドアの領域をトリミングする、正常時の映像取得工程と、
前記カメラの状態が異常である場合、前記第２のカメラの映像から前記第１の車両ドアの領域をトリミングし、前記第２のカメラの映像から前記第２の車両ドアの領域をトリミングする、異常時の映像取得工程と、
を備えることを特徴とする監視方法。
【手続補正２】
【補正対象書類名】明細書
【補正対象項目名】０００９
【補正方法】変更
【補正の内容】
【０００９】
本発明の監視システムは、列車の第１の車両ドアと第２の車両ドアを撮像する、第１のカメラと第２のカメラと、カメラの映像を取得するとともに、カメラの状態を監視する制御部と、を有する。この監視システムの制御部は、第１のカメラの状態が正常である場合、第１のカメラの映像から第１の車両ドアの領域をトリミングし、第２のカメラの映像から第２の車両ドアの領域をトリミングし、第１のカメラの状態が異常である場合、第２のカメラの映像から第１の車両ドアの領域をトリミングし、第２のカメラの映像から第２の車両ドアの領域をトリミングする。
本発明の監視方法は、列車の第１の車両ドアと第２の車両ドアを、第１のカメラと第２のカメラで監視する方法である。この監視方法は、カメラの状態を監視する状態監視工程と、カメラの状態が正常である場合、第１のカメラの映像から第１の車両ドアの領域をトリミングし、第２のカメラの映像から第２の車両ドアの領域をトリミングする、正常時の映像取得工程と、カメラの状態が異常である場合、第２のカメラの映像から第１の車両ドアの領域をトリミングし、第２のカメラの映像から第２の車両ドアの領域をトリミングする、異常時の映像取得工程と、を有する。
【国際調査報告】
2018180310.tif 000023
2018180310.tif 000024